(57)【要約】【課題】着脱可能体取付体に着脱可能体を簡単に取り付けたり取り外したりすることができるアクセサリーを提供する。【解決手段】指輪１０は、リング体１２と、このリング体１２に着脱可能に取り付けられる着脱可能装飾体１４を有している。リング体１２の一端面１２Ａと他端面１２Ａには取付ピン２０が突設されている。また、リング体１２の一端面１２Ａと他端面１２Ａには前記着脱可能装飾体１４が着脱可能に取り付けられるようになっている。着脱可能装飾体１４の中心部にはチューブ挿入孔２４が貫通形成され、チューブ挿入孔２４にはシリコンチューブ２６が挿入されている。シリコンチューブ２６の外周面２６Ｃには接着剤３４が塗付されている。前記チューブ挿入孔２４の先端部隙間３０にはチューブ挿入孔２４を塞ぐチューブ挿入孔閉塞体３６が嵌入されている。【選択図】図１
2008295557.tif 000002
【特許請求の範囲】
【請求項１】
着脱可能体取付体と、この着脱可能体取付体に着脱可能に取り付けられる着脱可能体とからなるアクセサリーであって、前記着脱可能体取付体に突設された取付ピンと、前記着脱可能体に形成されたチューブ挿入孔と、このチューブ挿入孔に挿入されると共に前記取付ピンが嵌入されるシリコンチューブと、を有してなることを特徴とするアクセサリー。
【請求項２】
着脱可能体取付体と、この着脱可能体取付体に着脱可能に取り付けられる着脱可能体とからなるアクセサリーであって、前記着脱可能体取付体に突設された取付ピンと、この取付ピンの外周面に形成された凹凸部と、前記着脱可能体に形成されたチューブ挿入孔と、このチューブ挿入孔に挿入されると共に前記取付ピンが嵌入されるシリコンチューブと、を有してなることを特徴とするアクセサリー。
【請求項３】
着脱可能体取付体と、この着脱可能体取付体に着脱可能に取り付けられる着脱可能体とからなるアクセサリーであって、前記着脱可能体取付体に突設された取付ピンと、この取付ピンの外周面に形成された凹凸部と、前記着脱可能体に形成されたチューブ挿入孔と、このチューブ挿入孔に挿入されると共に前記取付ピンが嵌入されるシリコンチューブと、このシリコンチューブの外周面に塗付された接着剤と、を有してなることを特徴とするアクセサリー。
【請求項４】
着脱可能体取付体と、この着脱可能体取付体に着脱可能に取り付けられる着脱可能体とからなるアクセサリーであって、前記着脱可能体取付体に突設された取付ピンと、この取付ピンの外周面に形成された凹凸部と、前記着脱可能体に貫通形成されたチューブ挿入孔と、このチューブ挿入孔に挿入されると共に前記取付ピンが嵌入されるシリコンチューブと、このシリコンチューブの外周面に塗付された接着剤と、前記チューブ挿入孔の先端部に嵌合されたチューブ挿入孔閉塞体と、を有してなることを特徴とするアクセサリー。
【発明の詳細な説明】
【技術分野】
【０００１】
本発明は、着脱可能体取付体と、この着脱可能体取付体に着脱可能に取り付けられる着脱可能体とからなるアクセサリーに関する。
【背景技術】
【０００２】
従来より、指輪、ペンダント、ネックレス、イヤリング、ピアス、タイピン、カフス等のアクセサリーが広く知られている。
ところで、従来の指輪の中には指を嵌るリング状のリング体と、このリング体に適宜手段によって固定される宝石等から構成されている指輪がある（特許文献１）。
しかし、上述したように前記宝石等はリング体に固定されているため、前記宝石等に飽きた場合等においては前記宝石等だけを他の種類の宝石等や形状の違う宝石等に簡単に交換することはができないという不具合がある。
【特許文献１】特開平９−５１８０９号公報
【発明の開示】
【発明が解決しようとする課題】
【０００３】
本発明は、上記事実に鑑みなされたものであり、着脱可能体取付体に着脱可能体を簡単に取り付けたり取り外したりすることができるアクセサリーを提供するものである。
【課題を解決するための手段】
【０００４】
請求項１の発明は、着脱可能体取付体と、この着脱可能体取付体に着脱可能に取り付けられる着脱可能体とからなるアクセサリーであって、前記着脱可能体取付体に突設された取付ピンと、前記着脱可能体に形成されたチューブ挿入孔と、このチューブ挿入孔に挿入されると共に前記取付ピンが嵌入されるシリコンチューブと、を有してなることを特徴としている。
請求項２の発明は、着脱可能体取付体と、この着脱可能体取付体に着脱可能に取り付けられる着脱可能体とからなるアクセサリーであって、前記着脱可能体取付体に突設された取付ピンと、この取付ピンの外周面に形成された凹凸部と、前記着脱可能体に形成されたチューブ挿入孔と、このチューブ挿入孔に挿入されると共に前記取付ピンが嵌入されるシリコンチューブと、を有してなることを特徴としている。
請求項３の発明は、着脱可能体取付体と、この着脱可能体取付体に着脱可能に取り付けられる着脱可能体とからなるアクセサリーであって、前記着脱可能体取付体に突設された取付ピンと、この取付ピンの外周面に形成された凹凸部と、前記着脱可能体に形成されたチューブ挿入孔と、このチューブ挿入孔に挿入されると共に前記取付ピンが嵌入されるシリコンチューブと、このシリコンチューブの外周面に塗付された接着剤と、を有してなることを特徴としている。
請求項４の発明は、着脱可能体取付体と、この着脱可能体取付体に着脱可能に取り付けられる着脱可能体とからなるアクセサリーであって、前記着脱可能体取付体に突設された取付ピンと、この取付ピンの外周面に形成された凹凸部と、前記着脱可能体に貫通形成されたチューブ挿入孔と、このチューブ挿入孔に挿入されると共に前記取付ピンが嵌入されるシリコンチューブと、このシリコンチューブの外周面に塗付された接着剤と、前記チューブ挿入孔の先端部に嵌合されたチューブ挿入孔閉塞体と、を有してなることを特徴としている。
【発明の効果】
【０００５】
本発明のアクセサリーは、着脱可能体は着脱可能体取付体に対して簡単に着脱することができるのでアクセサリーを着ける時の気分やＴＰＯ等に応じて着脱可能体を変えてアクセサリーを使用することができるという優れた効果を有する。
本発明のアクセサリーは、着脱可能体は着脱可能体取付体に対して簡単に着脱することができるのでアクセサリーの着脱可能体を変えるだけでアクセサリー印象を異ならせることができるという優れた効果を有する。
また、本発明のアクセサリーは、着脱可能体を変えるだけでアクセサリーの印象を変えることができるのでアクセサリー全体を購入する場合に比べて経済的であるという優れた効果を有する。
さらに、請求項４のアクセサリーは、上記優れた効果の他に着脱可能体にチューブ挿入孔が貫通形成されていても、前記チューブ挿入孔にはチューブ挿入孔閉塞体が嵌入されているため、前記チューブ挿入孔が見えないので外観品質が低下しないという優れた効果を有する。
【発明を実施するための最良の形態】
【０００６】
発明を実施するために最良の形態の例として以下のような実施例を示す。
【実施例１】
【０００７】
図１〜図５には本発明に係るアクセサリーの第１実施例が示されている。なお、この実施例ではアクセサリーとして真珠の指輪を例にして説明する。
図１、図２、図５に示されるように、アクセサリーとしての指輪１０は、指に嵌められる着脱可能体取付体としてのリング体１２と、このリング体１２に着脱可能に取り付けられる着脱可能体としての着脱可能装飾体１４と、をそれぞれ有している。
前記リング体１２は適宜貴金属（例えばプラチナ）をリング状に曲げて形成されている。このリング体１２には指が挿入される指挿通部１６が形成されている。
図１に示されるように、前記リング体１２の一端面１２Ａと他端面１２Ａにはそれぞれ取付ピン２０が突設されている（図１においては、一方のみの取付ピン２０を示す）。図３及び図４に示されるように、この取付ピン２０の外周面には凹凸部２２が形成されている。
図１、図２、図５に示されるように、前記リング体１２の一端面１２Ａと他端面１２Ａにはそれぞれ前記着脱可能装飾体１４が着脱可能に取り付けられるようになっている。この実施例では前記着脱可能装飾体１４は球状の真珠で形成されている。なお、２つの前記着脱可能装飾体１４は同一構造であるので、一方の着脱可能装飾体１４の構造について説明する。
図３及び図４に示されるように、前記着脱可能装飾体１４の中心部にはチューブ挿入孔２４が貫通して形成されている。このチューブ挿入孔２４にはシリコンで筒状に製造されたシリコンチューブ２６が挿入されている。
図３に示されるように、このシリコンチューブ２６の長さ寸法は前記チューブ挿入孔２４の長さ寸法よりも少し短くなっている。従って、前記シリコンチューブ２６を前記チューブ挿入孔２４に挿入した場合、シリコンチューブ２６の先端部２６Ａと基端部２６Ｂはチューブ挿入孔２４の先端部２４Ａと基端部２４Ｂから突出しないようになっている。また、前記チューブ挿入孔２４の先端部２４Ａには先端部隙間３０が形成されるようになっている。
図４に示されるように、前記シリコンチューブ２６の外周面２６Ｃには接着剤３４が塗付されている。従って、前記シリコンチューブ２６をチューブ挿入孔２４に挿入すると前記シリコンチューブ２６はチューブ挿入孔２４に接着して抜けないようになっている。なお、この実施例では前記チューブ挿入孔２４の内径寸法は先端部２４Ａに行くに従い僅かずつ小径になるように形成されている。従って、シリコンチューブ２６をチューブ挿入孔２４に挿入する場合にシリコンチューブ２６は先端部２６Ａ側でチューブ挿入孔２４とより密着するのでこれによっても前記シリコンチューブ２６はチューブ挿入孔２４から抜け難くなっている。
前記シリコンチューブ２６の内径寸法は前記取付ピン２０の外径寸法より少し小径に形成されている。従って、前記リング体１２の取付ピン２０を着脱可能装飾体１４のシリコンチューブ２６に嵌入すると着脱可能装飾体１４は簡単にリング体１２から取れないようになっている。
図３に示されるように、前記チューブ挿入孔２４の先端部隙間３０にはチューブ挿入孔２４を塞ぐチューブ挿入孔閉塞体３６が嵌入されている。従って、図２に示されるように、着脱可能装飾体１４をリング体１２に取り付けた場合に外部から前記チューブ挿入孔２４が見えないようになっている。
【０００８】
次に前記指輪１０の作用について説明する。
前記指輪１０のリング体１２には着脱可能装飾体１４が着脱可能に取り付けられている。
従って、指輪１０のリング体１２に取り付けられている着脱可能装飾体１４が飽きたり、あるいは指輪１０を着けていく場所等に相応しい着脱可能装飾体１４に交換したい場合は現在取り付けられている着脱可能装飾体１４をリング体１２から取り外す必要がある。この着脱可能装飾体１４をリング体１２から取り外す場合は着脱可能装飾体１４を強く引っ張ればリング体１２の取付ピン２０を着脱可能装飾体１４のシリコンチューブ２４から抜くことができるので、簡単にリング体１２から前記着脱可能装飾体１４を取り外すことができる。なお、シリコンチューブ２４はチューブ挿入孔２４に嵌入されると共に接着剤３４で接着されているので前記着脱可能装飾体１４を取り外す際にシリコンチューブ２４がチューブ挿入孔２４から抜けてしまうようなことはない。
そして、前記リング体１２に取り付けたい着脱可能装飾体１４を取り付ける場合は、取り付けたい着脱可能装飾体１４のチューブ挿入孔カバー筒体３８にリング体１２の取付ピン２０を対応させて取付ピン２０を挿入すれば前記取付ピン２０は着脱可能装飾体１４のシリコンチューブ２６に嵌入される。しかも、前記シリコンチューブ２６は弾力性を有し、また取付ピン２０の外周面には外周面には凹凸部２２が形成されているので、着脱可能装飾体１４を強く引っ張らないと着脱可能装飾体１４はリング体１２から取り外せず、指輪１０の通常使用において着脱可能装飾体１４が取れてしまうような心配はない。
従って、前記指輪１０においては着脱可能装飾体１４を他の材料や形状から形成されている着脱可能装飾体１４に交換したくなったときは簡単に交換することができるので、色々なタイプの着脱可能装飾体１４を揃えておけば指輪１０を着けるその日の気分やＴＰＯ（時、所、場所）等に応じて簡単に最適な着脱可能装飾体１４を取り付けた指輪１０を指に着けることができる。
また、指輪１０は前記着脱可能装飾体１４を簡単に交換することができるので、色々なタイプの着脱可能装飾体１４を購入しておけば指輪１０全体を購入する必要が少なくなるので経済的に色々な指輪１０を楽しむことができる。
なお、前記着脱可能装飾体１４にはチューブ挿入孔２４が貫通形成されているが、チューブ挿入孔２４の先端部隙間３０にはチューブ挿入孔閉塞体３６が嵌入されているので指輪１０を指に着けた場合にチューブ挿入孔２４は見えないので指輪１０の外観品質が低下するこはない。
【０００９】
図６には本発明のアクセサリーの第２実施例が示されている。第２実施例ではアクセサリーとしてペンダントが示されている。なお、前記第１実施例と同一の構成は同一の符合を用いてその説明を省略する。
図６に示されるように、このペンダント４０のペンダントヘッド４２はチェーン４４によって首に吊り下げられるようになっている。
前記ペンダントヘッド４２は着脱可能体取付体としてのヘッド本体４６と、このヘッド本体４６に着脱可能に取り付けられる着脱可能体としての着脱可能装飾体１４を有している。
前記ヘッド本体４６は適宜の貴金属を曲げて形成されている。このヘッド本体４６の一端面４６Ａと他端面４６Ａには前記取付ピン２０（図示せず）が突設されている。また、このヘッド本体４６には前記着脱可能装飾体１４が着脱可能に取り付けられている。
なお、他の構成、作用、効果は第１実施例の指輪１０と同一であるの、その説明は省略する。
【００１０】
なお、着脱可能装飾体がチューブ挿入孔２４を形成し難い宝石（例えばダイヤモンドやエメラルド等）である場合は、着脱可能装飾体を固定できる台座を貴金属等で形成し、この台座に前記チューブ挿入孔２４を形成することにより台座に固定された着脱可能装飾体を前記リング本体１２に取り付けるようにしてもよい。
また、前記着脱可能装飾体１４のチューブ挿入孔２４の基端部２４Ｂが露出するのを避けたい場合はチューブ挿入孔２４の基端部２４Ｂに筒状のチューブ挿入孔カバー筒体（図示せず）を嵌入することにより、前記チューブ挿入孔２４の基端部２４Ｂが露出するのを防止するようにしてもよい。
【００１１】
なお、実施例ではアクセサリーとして指輪１０、ペンダント４０を例にして説明したがアクセサリーであれば指輪１０、ペンダント４０に限定されるものでなく、ネックレス、イヤリング、ピアス、タイピン、カフス等をはじめとする他のアクセサリーでもよいことは勿論である。
また、実施例では着脱可能体取付体としてのリング体１２をプラチナで、着脱可能体としての着脱可能装飾体１４を真珠で形成したが、リング体１２及び着脱可能装飾体１４の材料はこれに限定されるものでないことは勿論である。
なお、実施例では着脱可能装飾体１４にチューブ挿入孔２４を貫通形成したが、チューブ挿入孔２４は着脱可能装飾体１４に形成すればよく貫通形成する場合に限定されるものでないことは勿論である。
【図面の簡単な説明】
【００１２】
【図１】第１実施例の指輪から着脱可能装飾体を取り外した状態の全体斜視図である。
【図２】第１実施例の指輪の全体斜視図である。
【図３】第１実施例の指輪の一部拡大縦断面図である。
【図４】第１実施例の指輪の一部分解斜視図である。
【図５】第１実施例の指輪を指に着けた状態の全体斜視図である。
【図６】第２実施例のペンダントの一部斜視図である。
【符号の説明】
【００１３】
１０    アクセサリー
１２    リング体
１４    着脱可能装飾体
１６    指挿通部
２０    取付ピン
２２    凹凸部
２４    チューブ挿入孔
２６    シリコンチューブ
３４    接着剤
３６    チューブ挿入孔閉塞体
【図１】
2008295557.tif 000003
【図２】
2008295557.tif 000004
【図３】
2008295557.tif 000005
【図４】
2008295557.tif 000006
【図５】
2008295557.tif 000007
【図６】
2008295557.tif 000008